(57)【要約】【課題】ダクトレール１００への取付け取外しに際して、操作レバーの回動操作を用いないダクトレール用電源ユニット１を提供する。【解決手段】第１部材３と、第２部材４と、前記第１部材３の露出部３２に設けられたＡＣ／ＤＣコンバート部５を有し、前記第１部材３は、ダクトレール１００の内部に挿入される挿入部３１に、一方抜け止め防止突起３１ｂと、接触子３５を有し、かつ、当該挿入部３１の幅をダクトレール１００の開口１０４の幅以下に形成し、前記第２部材４は、他方抜け止め防止突起４１ｂと、接触子４５を有し、かつ、挿入部４１の幅を前記開口１０４の幅以下に形成した。【選択図】図３
2019096557.tif 000002
【特許請求の範囲】
【請求項１】
断面が略コ字状で下方に開放された長尺状に形成され、対向する両側壁の内側に長手方向に沿う導体ラインがそれぞれ設けられ、前記両側壁の開放縁から互いに内側へ延出し長手方向に沿う２つのガイドとそれらの間の開口が設けられた中空のダクトレールに装着して用いられるダクトレール用電源ユニットであって、
前記開口から前記中空へ少なくとも一部が挿入される挿入部を有する第１部材と、
前記開口から前記中空へ少なくとも一部が挿入される挿入部を有して前記第１部材と当接する第２部材と、
前記第１部材に接続されたＡＣ／ＤＣコンバート部と、
を備え、
前記第１部材は、前記挿入部に、一方の前記ガイドの内側面に当接して抜け止めする一方抜け止め防止突起と、一方の前記導体ラインに接触して通電する一方接触子を有し、かつ、当該挿入部の幅が前記開口の幅以下に形成され、
前記第２部材は、他方の前記ガイドの内側面に当接して抜け止めする他方抜け止め防止突起と、他方の前記導体ラインに接触して通電する他方接触子を有し、かつ、当該他方抜け止め防止突起および他方接触子を有する前記挿入部の幅が前記開口の幅以下に形成され、
前記第１部材の挿入部と前記第２部材の前記挿入部が前記中空に挿入されて互いが幅方向の一方と他方に位置して互いに当接した状態が前記ダクトレールに装着された状態である
ダクトレール用電源ユニット。
【請求項２】
前記第１部材の挿入部は、前記一方抜け止め防止突起と反対側の面に一方スライド係合面を備え、
前記第２部材の挿入部は、前記他方抜け止め防止突起と反対側の面に他方スライド係合面を備え、
前記第１部材の一方スライド係合面と前記第２部材の他方スライド係合面を当接させると前記一方抜け止め防止突起と前記他方抜け止め防止突起が一方の前記ガイドと他方の前記ガイドにそれぞれ当接して抜け止めされる構成である
請求項１記載のダクトレール用電源ユニット。
【請求項３】
前記第１部材および前記第２部材は、相手方と当接する前記一方スライド係合面および前記他方スライド係合面の反対側で前記ダクトレールの前記側壁に対向する側壁対向面をそれぞれ備え、
前記第１部材の側壁対向面から一方スライド係合面までの距離と、前記第２部材の側壁対向面から他方スライド係合面までの距離の和が、開口の幅以下であり、かつ、前記一方抜け止め防止突起および前記他方抜け止め防止突起は、前記側壁対向面から前記側壁へ向かって突出する構成である
請求項２記載のダクトレール用電源ユニット。
【発明の詳細な説明】
【技術分野】
【０００１】
この発明は、天井等に敷設されたダクトレールに機械的に支持され、電気的に接続されるダクトレール用電源ユニットに関する。
【背景技術】
【０００２】
ダクトレール（配線ダクト）は、断面が略コ字状で下方に開放された長尺状で、断面が略コ字状の部分における対向する両側壁の各開放端には、他方の開放端に向けて僅かに突出し長手方向に沿うガイドがそれぞれ延設され、両ガイドの間に開口が設けられた内部が中空のレールである。ダクトレールの両側壁のそれぞれの内側面の対向する位置には、長手方向に沿って導体ラインがそれぞれ連続的に敷設されている。そして、各導体ラインは、屋内配線に接続されている。これにより、ダクトレールのガイドに機械的に支持され、導体ラインと電気的に接続することが可能なダクトレール用プラグを用いて、照明器具等をダクトレール上の好きな場所に設置することができる。
【０００３】
ダクトレール用プラグには、種々の形態のものが提案されている。例えば、特許文献１には、栓刃と固定用羽根を回動自在に設け、栓刃と固定用羽根を回動させる操作レバーをプラグの側方に延出させたプラグが開示されている。
【０００４】
しかしながら、当該プラグは、スイッチと間違って操作レバーを回した場合にプラグを落下させてしまう恐れがあった。  
このため、このようなプラグを介して、ＡＣ／ＤＣコンバータ等の電源ユニットをダクトレールに設ける場合にも同様の恐れがあると考えられた。
【先行技術文献】
【特許文献】
【０００５】
【特許文献１】実開昭４９−５４７９６号公報
【発明の概要】
【発明が解決しようとする課題】
【０００６】
この発明は、上述の問題点に鑑みて、ダクトレールへの取付け取外しに際して、操作レバーの回動操作を用いないダクトレール用電源ユニットを提供することを目的とする。
【課題を解決するための手段】
【０００７】
この発明は、断面が略コ字状で下方に開放された長尺状に形成され、対向する両側壁の内側に長手方向に沿う導体ラインがそれぞれ設けられ、前記両側壁の開放縁から互いに内側へ延出し長手方向に沿う２つのガイドとそれらの間の開口が設けられた中空のダクトレールに装着して用いられるダクトレール用電源ユニットであって、前記開口から前記中空へ少なくとも一部が挿入される挿入部を有する第１部材と、前記開口から前記中空へ少なくとも一部が挿入される挿入部を有して前記第１部材と当接する第２部材と、前記第１部材に接続されたＡＣ／ＤＣコンバート部と、を備え、前記第１部材は、前記挿入部に、一方の前記ガイドの内側面に当接して抜け止めする一方抜け止め防止突起と、一方の前記導体ラインに接触して通電する一方接触子を有し、かつ、当該挿入部の幅が前記開口の幅以下に形成され、前記第２部材は、他方の前記ガイドの内側面に当接して抜け止めする他方抜け止め防止突起と、他方の前記導体ラインに接触して通電する他方接触子を有し、かつ、当該他方抜け止め防止突起および他方接触子を有する前記挿入部の幅が前記開口の幅以下に形成され、前記第１部材の挿入部と前記第２部材の前記挿入部が前記中空に挿入されて互いが幅方向の一方と他方に位置して互いに当接した状態が前記ダクトレールに装着された状態であるダクトレール用電源ユニットであることを特徴とする。
【発明の効果】
【０００８】
この発明により、ダクトレールへの取付け取外しに際して、操作レバーの回動操作を用いないダクトレール用電源ユニットを提供できる。
【図面の簡単な説明】
【０００９】
【図１】ダクトレールに装着されたダクトレール用電源ユニットの斜視図。
【図２】ダクトレール用電源ユニットの内部構成を示す説明図。
【図３】ダクトレール用電源ユニットの各パーツの説明図。
【図４】第１部材および第２部材の縦断面の説明図。
【図５】第１部材と第２部材が合体した状態のプラグの説明図。
【図６】第１部材と第２部材をダクトレールに装着する様子を示す説明図。
【発明を実施するための形態】
【００１０】
以下、本願発明の一実施形態を説明する。
【実施例１】
【００１１】
＜ダクトレールおよびダクトレール用電源ユニットの外観＞
図１は、ダクトレール用電源ユニット１が天井に敷設又は吊り下げられた通電可能なダクトレール１００に装着されている様子を示す斜視図である。以下、ダクトレール１００にダクトレール用電源ユニット１が装着された状態で、ダクトレール１００側（天井側）をダクトレール用電源ユニット１の上側、ダクトレール１００の反対側（床側）をダクトレール用電源ユニット１の下側とする。
【００１２】
ダクトレール１００は、断面が略コ字状を９０度左へ回転させた形状のダクトレール本体１０１と、ダクトレール本体１０１の両側壁の下端から内側へ突出する２つのガイド１０２，１０２と、ダクトレール本体１０１の内側の左右両側に長手方向に一直線に設けられた２つの導体ライン１０３、１０３とを備えている。ダクトレール本体１０１と２つのガイド１０２，１０２は一体に形成されており、断面が略長方形の下面中央を長手方向に一直線に開口した形状となっている。
【００１３】
ダクトレール本体１０１は、略水平の天井取付壁１０１ｃの両側端から下方へ垂直に設けられた両側壁１０１ａ、１０１ｂを有している。両側壁１０１ａ、１０１ｂの両下端には、内側へ水平で同じ高さに設けられた２つのガイド１０２，１０２が設けられ、２つのガイド１０２，１０２の間に開口１０４が設けられている。このダクトレール本体１０１、２つのガイド１０２，１０２、２つの導体ライン１０３，１０３は、長尺状に形成され、いずれも同じ長さに形成されている。
【００１４】
２つのガイド１０２は、ダクトレール本体１０１の両側壁１０１ａ、１０１ｂの下方の開放端から、反対側の開放端に向けて内側水平に延出する延出部が、ダクトレール本体１０１の長手方向に沿って設けられた長尺板状である。２つのガイド１０２は、対向するように配置される。
【００１５】
対向する２つのガイド１０２の間には、スリット状の開口１０４が設けられている。この２つのガイド１０２，１０２と開口１０４は、ほぼ同じ幅に形成されている。ダクトレール本体１０１及び２つのガイド１０２で囲まれた中空内部１０５は中空になっている。
【００１６】
２つの導体ライン１０３は、ダクトレール本体１０１の対向する両側壁１０１ａ、１０１ｂの内側に、ダクトレール本体１０１の長手方向に沿って設けられている。２つの導体ライン１０３は、対向するように配置される。導体ライン１０３には、外部電源から屋内配線を介してＡＣ電力が供給される。
【００１７】
ダクトレール用電源ユニット１は、外面をユニットケース２が覆っている。ユニットケース２は、ダクトレール本体１０１の長手方向に沿って横長で、上面が開口する内部中空の略直方体状である。ダクトレール１００に装着されたダクトレール用電源ユニット１は、ユニットケース２の短手方向の横幅Ｗ２がダクトレール本体１０１の横幅Ｗ１０１とほぼ同じで、また、ユニットケース２の両側壁２ａ，２ｂがダクトレール本体１０１の両側壁１０１ａ、１０１ｂと面一になるように配置されている。  
このため、ダクトレール用電源ユニット１とダクトレール１００は、見た目が統一されて一体感があり、美観に優れている。
【００１８】
ダクトレール用電源ユニット１がダクトレール１００に装着された面のダクトレール１００の内部には、ダクトレール用電源ユニット１の上面から伸びる２つのＤＣラインＬａ，Ｌｂが収納されている。この２つのＤＣラインＬａ，Ｌｂは、一方の端部がダクトレール用電源ユニット１の上面側に接続され、他方の端部がダクトレール用電源ユニット１よりも外側に位置するように長く形成されており、一方がプラス極、他方がマイナス極となっている。この２つのＤＣラインＬａ，Ｌｂに、ＬＥＤサイン等のＬＥＤ点灯器具を電気的に接続することで、ダクトレール１００の導体ライン１０３に流れているＡＣ電力をＤＣ電力に変換し、このＤＣ電力をＬＥＤサイン等の様々なＤＣ電力の機器に供給することができる。
【００１９】
＜ダクトレール用電源ユニットの全体構成＞
図２（Ａ）は、ダクトレール用電源ユニット１の内部構成を示す斜視図、図２（Ｂ）は、ダクトレール用電源ユニット１の内部構成を示す縦断面図である。
【００２０】
ダクトレール用電源ユニット１は、外面がユニットケース２で覆われ、内部にＡＣ／ＤＣコンバート部５と、プラグ部１０とを備えている。
【００２１】
＜ＡＣ／ＤＣコンバート部＞
ＡＣ／ＤＣコンバート部５は、外形が横長の略直方体で、ＡＣ電力をＤＣ電力に変換するＡＣ／ＤＣコンバータである。ＡＣ／ＤＣコンバート部５は、長手方向に延びる１つの側面５ｃに設けられた基台５１上に載置されている。ＡＣ／ＤＣコンバート部５は、一方の端面５ａにＡＣ入力部ＴＩ１、ＴＩ２、及びＤＣ出力部ＴＯ１、ＴＯ２を有している。なお、ＡＣ入力部ＴＩ１、ＴＩ２、及びＤＣ出力部ＴＯ１、ＴＯ２の位置は、この位置に限らず、ＡＣ／ＤＣコンバート部５のダクトレール１００接続側面に設ける等、目立たない適宜の位置に設けることができる。ＤＣ出力部ＴＯ１、ＴＯ２には、ＤＣラインＬａ，Ｌｂ（図１参照）の一端がそれぞれ電気的に接続されている。
【００２２】
図３（Ａ）は、ダクトレール１００に装着する前のダクトレール用電源ユニット１を示す説明図で、ユニットケース２が外された状態を示している。
【００２３】
＜プラグ部＞
プラグ部１０は、分離容易な２つの部材である第１部材３と第２部材４とが合体して構成されている。
【００２４】
第１部材３と第２部材４は、それぞれダクトレール１００の開口１０４から中空内部１０５へ挿入する挿入部３１、４１と、開口１０４から露出する露出部３２，４２を有している（図２（Ｂ）参照）。この第１部材３の挿入部３１がダクトレール１００の幅方向（天井取付け状態の左右短手方向）の一方に位置し、第２部材４の挿入部４２が幅方向の他方に位置して、両挿入部３１，４１が当接した状態で、プラグ部１０がダクトレール１００に固定される。第１部材３と第２部材４は、それぞれ、ダクトレール用電源ユニット１等の接続物による荷重がかかっても破損や変形しない強度を有し、かつ、電気を通さない絶縁性の素材により形成されており、例えばアクリル素材や樹脂素材によりそれぞれが一体形成されている。
【００２５】
≪露出部≫
第１部材３の露出部３２は、横長の略矩形状でダクトレール１００のガイド１０２（図１参照）と平行な板状体で、長手方向の一方端側の一部にＡＣ端子台部３４が設けられ、他の他方端側の大部分にＡＣ／ＤＣコンバート設置部３３が設けられている（図３（Ａ）参照）。
【００２６】
ＡＣ／ＤＣコンバート設置部３３には、基台５１上に載置された横長（ダクトレール１００の長手方向と同じ方向に長い）のＡＣ／ＤＣコンバート部５が基台５１を介してＡＣ／ＤＣコンバート設置部３３を覆うように設置（固定）されている。ＡＣ／ＤＣコンバート部５は、ＡＣ入力部ＴＩ１、ＴＩ２が設けられた一方の端面５ａが、ＡＣ端子台部３４側に向き合うように配置されている。
【００２７】
第１部材３のＡＣ端子台部３４には、基部３５ａをネジ３６でネジ止めする形で接触子３５（一方接触子）が固定されている。また、接触子３５の基部３５ａには、ＡＣ／ＤＣコンバート部５のＡＣ入力部ＴＩ１、ＴＩ２の一方が、ケーブルで電気的に接続されている。
【００２８】
第２部材４の露出部４２には、ＡＣ端子台部４４が設けられている。  
第２部材４のＡＣ端子台部４４には、基部４５ａをネジ４６でネジ止めする形で接触子４５（他方接触子）が固定されている。また、接触子４５の基部４５ａには、他端にメス側の配線コネクタＣｆが設けられたケーブルが接続されている。一方、ＡＣ／ＤＣコンバート部５のＡＣ入力部ＴＩ１、ＴＩ２の他方には、他端にオス側の配線コネクタＣｍが設けられたケーブルが接続されている。
【００２９】
このため、メス側の配線コネクタＣｆとオス側の配線コネクタＣｍとを連結あるいは解除することで、接触子４５の基部４５ａと、ＡＣ／ＤＣコンバート部５のＡＣ入力部ＴＩ１、ＴＩ２の他方との間の電気的な接続及びその解除が容易に行えるようになっている。なお、この例ではケーブルによる接続としているが、ＡＣ入力部ＴＩ１の配線コネクタＣｍの代わりにダクトレール１００の内部空間へ突出する導電性の金属板を設け、接触子４５の基部４５ａに設けられた配線コネクタＣｆの代わりに、前記金属板と接触して通電する導電性の金属板を設けてもよい。この場合、第１部材３と第２部材４をダクトレール１００へ装着すると、金属板同士が接触して通電するようにできる。
【００３０】
第１部材３の露出部３２と第２部材４の露出部４２とは、第１部材３と第２部材４とが合体した際には、第１部材３のＡＣ端子台部３４と第２部材４のＡＣ端子台部４４とが隣接するように配置される（図２（Ａ）参照）。
【００３１】
＜プラグ部の構成＞
図３（Ｂ）は、第１部材３と第２部材４が分離している状態のプラグ部１０の斜視図である。図３（Ｃ）は、プラグ部１０を構成する第１部材３と第２部材４が有するそれぞれの接触子３５，４５の構成を示す平面図である。図４（Ａ１）は、図３（Ｂ）のＡ１−Ａ１断面における第１部材３の断面図であり、図４（Ｂ１）は、図３（Ｂ）のＡ２−Ａ２断面における第１部材３の断面図であり、図４（Ｃ１）は、図３（Ｂ）のＡ３−Ａ３断面における第１部材３の断面図であり、図４（Ａ２）は、図３（Ｂ）のＢ２−Ｂ２断面における第２部材４の断面図であり、図４（Ｂ２）は、図３（Ｂ）のＢ１−Ｂ１断面における第２部材４の断面図である。図５（Ａ）は、第１部材３と第２部材４が合体した状態のプラグ部１０の斜視図である。図５（Ｂ）は、図５（Ａ）のＤ−Ｄ断面におけるプラグ部１０の縦断面図である。図５（Ｃ）は、図５（Ａ）のＤ−Ｄ断面におけるプラグ部１０の縦断面図であり、各部位の寸法規制を説明するものである。
【００３２】
＜第１部材＞
≪挿入部≫
第１部材３の挿入部３１は、断面が矩形状で、ダクトレール１００に装着した際に、ダクトレール１００の長手方向に沿って延びる角棒状の挿入基体３１ａを有する。
【００３３】
挿入基体３１ａは、ダクトレール１００に装着した際に、ダクトレール本体１０１の天井取付壁１０１ｃに殆ど当接するくらいに接近して対向する天井取付壁対向面３１ｆと、天井取付壁対向面３１ｆの反対側でダクトレール１００の開口１０４から露出する露出面３１ｊと、天井取付壁対向面３１ｆに垂直な面で、第１部材３と第２部材４とが合体した際に、互いに背中合わせになって当接し押圧し合う背面３１ｅ（一方スライド係合面，当接面）と、背面３１ｅの反対側でダクトレール本体１０１の側壁１０１ａに対向する側壁対向面３１ｋと、を有する（図５（Ｃ）参照）。
【００３４】
挿入基体３１ａは、露出面３１ｊの大部分が、第１部材３の露出部３２に連結され、露出部３２と一体となっている。露出面３１ｊの残りの部分は、第１部材３と第２部材４とが合体した際に、第２部材４の露出部４２に被覆される（図３（Ｂ），図５（Ａ）参照）。
【００３５】
挿入基体３１ａは、背面３１ｅと、第１部材３と第２部材４とが合体した際に第２部材４の露出部４２により被覆されることになる側の挿入基体３１ａの端面３１ｇとが交差する交差部に、コーナを切り落としたコーナ切り落とし部３１ｉが設けられている（図３（Ｂ）参照）。
【００３６】
このため、コーナ切り落とし部３１ｉは、第２部材４をダクトレール１００に取り付け、第２部材４から少し離した位置にてダクトレール１００の内部へ挿入部３１を挿入した第１部材３を第２部材４と当接する位置までスライドさせて、第１部材３と第２部材４とを合体させる際に、スライドさせやすくし、かつ、第２部材４の方の背面４１ｅ（他方スライド係合面，当接面）を誘導して第１部材３の方の背面３１ｅに当接しやすくできる。
【００３７】
挿入基体３１ａは、側壁対向面３１ｋの天井取付壁対向面３１ｆに近い側に挿入案内突起３１ｄを有する。挿入案内突起３１ｄは、側壁対向面３１ｋから外方に突出し、長手方向に延びる板状の突起である（図５（Ｃ）参照）。
【００３８】
挿入基体３１ａは、側壁対向面３１ｋの露出面３１ｊに近い側に一方抜け止め防止突起３１ｂを有する。一方抜け止め防止突起３１ｂは、側壁対向面３１ｋから外方に突出し、長手方向に延びる板状の突起である。一方抜け止め防止突起３１ｂは、ダクトレール１００に装着した際に、ガイド１０２ａの内側面と当接するようになっている。
【００３９】
挿入基体３１ａは、側壁対向面３１ｋの挿入案内突起３１ｄと一方抜け止め防止突起３１ｂで挟まれた領域に、これらに平行に接触子格納溝３１ｃが形成されている。接触子格納溝３１ｃには、接触子３５の一部が格納される。
【００４０】
一方抜け止め防止突起３１ｂは、ダクトレール１００のガイド１０２と接触する面が、ガイド１０２と平行な水平面に形成されている。また、一方抜け止め防止突起３１ｂに対して、背面３１ｅは、直角に形成されている。すなわち、背面３１ｅは、ダクトレール１００の長手方向および高さ方向に広がる平面（法線方向がダクトレール１００の幅方向となる平面）に形成されている。
【００４１】
≪接触子≫
接触子３５は、導電性の金属で形成された、基部３５ａと、支持部３５ｂと、板バネ部３５ｃと、接触端子部３５ｄを備えている（図３（Ｃ）参照）。
【００４２】
基部３５ａは、縦断面が逆Ｌ字状に屈曲する板体で、水平面部３５ａ１がＡＣ端子台部３４の水平面にネジ３６でネジ止め固定され、垂直面部３５ａ２の支持部３５ｂがＡＣ端子台部３４の垂直面に固定されている（図４参照）。
【００４３】
支持部３５ｂは、接触子格納溝３１ｃに沿って埋設された長尺の板体で、接触子格納溝３１ｃにネジ３６ａ，３６ｂにより２箇所ネジ止め固定されている。支持部３５ｂは、長辺の一部に基部３５ａの垂直面部３５ａ２が連結されている（図３（Ｃ）参照）。
【００４４】
板バネ部３５ｃは、一端に支持部３５ｂの一端が連結され、当該一端を基点として接触子格納溝３１ｃから斜め外方に突き出している長尺の板バネである。板バネ部３５ｃは、他端に接触端子部３５ｄが連結されている。板バネ部３５ｃは、支持部３５ｂ側が固定され、他端に連結された自由端である接触端子部３５ｄを接触子格納溝３１ｃ側に押圧すると押し返す弾性力を有している。
【００４５】
接触端子部３５ｄは、略台形状の板体で、長辺の下底辺３５ｄ１に板バネ部３５ｃの他端が連結されている。接触端子部３５ｄは、接触子格納溝３１ｃに対して垂直に配置され、短辺の上底辺３５ｄ２が接触子格納溝３１ｃから遠い側に配置され、かつ接触子格納溝３１ｃにほぼ平行になるように向けられている。
【００４６】
接触端子部３５ｄは、上底辺３５ｄ２が、挿入案内突起３１ｄ及び一方抜け止め防止突起３１ｂの先端より外方に突出しないように配置するのが好ましい。
【００４７】
また、上底辺３５ｄ２は、僅かに外方に凸状に湾曲していてもよい。  
これにより、接触端子部３５ｄは、ダクトレール１００に装着した際に、上底辺３５ｄ２が、ダクトレール１００の一方の導体ライン１０３ａと接触すると共に、板バネ部３５ｃからの弾性力を受けて一方の導体ライン１０３ａを押圧する（図５（Ｃ）参照）。
【００４８】
また、上底辺３５ｄ２が僅かに外方に凸状に湾曲している場合には、上底辺３５ｄ２は、ダクトレール１００に装着する際に、一方の導体ライン１０３ａ上を滑るようにしながら接触点の箇所が自動的に移動する。
【００４９】
このため、ダクトレール１００への装着に際して、接触端子部３５ｄと導体ライン１０３ａとの間の良好な接触を実現するためにあまり気を使わなくて済む。
【００５０】
＜第２部材＞
≪挿入部≫
第２部材４の挿入部４１は、第１部材３の挿入部３１と同様に、断面が矩形状で、ダクトレール１００に装着した際に、ダクトレール１００の長手方向に沿って延びる角棒状の挿入基体４１ａを有する。
【００５１】
挿入基体４１ａは、ダクトレール１００に装着した際に、ダクトレール本体１０１の天井取付壁１０１ｃに殆ど当接するくらいに接近して対向する天井取付壁対向面４１ｆと、天井取付壁対向面４１ｆの反対側でダクトレール１００の開口１０４から露出する露出面４１ｊと、天井取付壁対向面４１ｆに垂直な面で、第１部材３と第２部材４とが合体した際に、互いに背中合わせになって当接し押圧し合う背面４１ｅと、背面４１ｅの反対側でダクトレール本体１０１の側壁１０１ｂに対向する側壁対向面４１ｋと、を有する（図５（Ｃ）参照）。
【００５２】
挿入基体４１ａは、露出面４１ｊの一部が、第２部材４の露出部４２に連結され、露出部４２と一体となっている。露出面４１ｊの残りの大部分は、第１部材３と第２部材４とが合体した際に、第１部材３の露出部３２に被覆される（図３（Ｂ），図５（Ａ）参照）。
【００５３】
挿入基体４１ａは、側壁対向面４１ｋの天井取付壁対向面４１ｆに近い側に挿入案内突起４１ｄを有する。挿入案内突起４１ｄは、側壁対向面４１ｋから外方に突出し、長手方向に延びる板状の突起である（図５（Ｃ）参照）。
【００５４】
挿入基体４１ａは、側壁対向面４１ｋの露出面４１ｊに近い側に他方抜け止め防止突起４１ｂを有する。他方抜け止め防止突起４１ｂは、側壁対向面４１ｋから外方に突出し、長手方向に延びる板状の突起である。他方抜け止め防止突起４１ｂは、ダクトレール１００に装着した際に、ガイド１０２ｂの内側面と当接するようになっている。
【００５５】
挿入基体４１ａは、側壁対向面４１ｋの挿入案内突起４１ｄと他方抜け止め防止突起４１ｂで挟まれた領域に、これらに平行に接触子格納溝４１ｃが形成されている。接触子格納溝４１ｃには、接触子４５の一部が格納される。
【００５６】
他方抜け止め防止突起４１ｂは、ダクトレール１００のガイド１０２と接触する面が、ガイド１０２と平行な水平面に形成されている。また、他方抜け止め防止突起４１ｂに対して、背面４１ｅは、直角に形成されている。すなわち、背面４１ｅは、ダクトレール１００の長手方向および高さ方向に広がる平面（法線方向がダクトレール１００の幅方向となる平面）に形成されている。
【００５７】
≪接触子≫
第２部材４の接触子４５は、第１部材３の接触子３５と同様に、導電性の金属で形成された、基部４５ａと、支持部４５ｂと、板バネ部４５ｃと、接触端子部４５ｄを備えている（図３（Ｃ）参照）。
【００５８】
第２部材４の接触子４５は、基部４５ａの支持部４５ｂへの連結位置が異なる以外は、第１部材３の接触子３５と左右対照となっている。基部４５ａの支持部４５ｂへの連結位置が異なるのは、基部４５ａがネジ止め固定されるＡＣ端子台部４４の配置が、第１部材３のＡＣ端子台部３４の配置と異なっていることに起因している。
【００５９】
接触子４５の基部４５ａと、支持部４５ｂと、板バネ部４５ｃと、接触端子部４５ｄの構成、及び機能は、対応する接触子３５の基部３５ａと、支持部３５ｂと、板バネ部３５ｃと、接触端子部３５ｄのそれと同じであるため、記載を省略する。
【００６０】
＜寸法規制＞
第１部材３の挿入案内突起３１ｄの先端と背面３１ｅとの距離Ｗ３１ｄは、ダクトレール１００の開口１０４の幅Ｗ１０４以下に形成されている（図５（Ｃ）参照）。
【００６１】
第１部材３の一方抜け止め防止突起３１ｂの先端と背面３１ｅとの距離Ｗ３１ｂ（挿入部３５の幅）は、ダクトレール１００の開口１０４の幅Ｗ１０４以下に形成されている。
【００６２】
第２部材４の挿入案内突起４１ｄの先端と背面４１ｅとの距離Ｗ４１ｄは、ダクトレール１００の開口１０４の幅Ｗ１０４以下に形成されている。
【００６３】
第２部材４の他方抜け止め防止突起４１ｂの先端と背面４１ｅとの距離Ｗ４１ｂ（挿入部４５の幅）は、ダクトレール１００の開口１０４の幅Ｗ１０４以下に形成されている。
第１部材３の露出部３２は、横幅Ｗ３２がダクトレール本体１０１の横幅Ｗ１０１より小さく、かつダクトレール１００の開口１０４の幅Ｗ１０４より大きく、ダクトレール１００に装着した際には、開口１０４を塞ぐように配置されている。
第１部材３の露出部３２の横幅Ｗ３２は、第１部材３の一方抜け止め防止突起３１ｂの先端と背面３１ｅとの距離Ｗ３１ｂ（挿入部３５の幅）と、第２部材４の他方抜け止め防止突起４１ｂの先端と背面４１ｅとの距離Ｗ４１ｂ（挿入部４５の幅）との和と同じか僅かに大きいのが好ましい。
【００６４】
第１部材３の側壁対向面３１ｋと背面３１ｅとの間の距離Ｗ３１ａと、第２部材４の側壁対向面４１ｋと背面４１ｅとの間の距離Ｗ４１ａとの和は、ダクトレール１００の開口１０４の幅Ｗ１０４以下であり、距離Ｗ３１ａと距離Ｗ４１ａがほぼ同じであるのが好ましい。この実施例では、距離Ｗ３１ａと距離Ｗ４１ａの和が幅Ｗ１０４とほぼ同じに形成されている。これにより、第１部材３と第２部材４を当接させて一体とさせたときに、第１部材３と第２部材４で構成されるプラグ部１０が、自重等で簡単にスライド方向へ動くことがなく、かつ、人が強い力でスライドさせようとするとスライドできる程度の安定度でダクトレール１００へ取り付けられる。
【００６５】
また、第１部材３の距離Ｗ３１ｂと距離Ｗ３１ａの差は、ガイド１０２の内面側の突出長さ（ガイド１０２の幅方向の長さ）に対して、同じかそれ以下に短くすることができ、かつ、ガイド１０２の内面側の突出長さの半分以上、好ましくは３分の２以上とすることができる。これにより、ガイド１０２と一方抜け止め防止突起３１ｂが好適に面接触し、第１部材３がダクトレール１００から抜け落ちることを防止できる、
【００６６】
また、第２部材４の距離Ｗ４１ｂと距離Ｗ４１ａの差は、ガイド１０２の内面側の突出長さ（ガイド１０２の幅方向の長さ）に対して、同じかそれ以下に短くすることができ、かつ、ガイド１０２の内面側の突出長さの半分以上、好ましくは３分の２以上とすることができる。これにより、ガイド１０２と他方抜け止め防止突起４１ｂが好適に面接触し、第２部材４がダクトレール１００から抜け落ちることを防止できる、
【００６７】
第１部材３の一体となって形成されている一方抜け止め防止突起３１ｂと、露出部３２（３２ａ）との間の隙間間隔Ｇ３１ｂは、ダクトレール１００のガイド１０２ａの厚さＴ１０２より僅かに大きい程度に形成されている。これにより、隙間間隔Ｇ３１ｂにはまり込むガイド１０２ａががたつかず、かつ、ガイド１０２ａに沿って第１部材３をスムーズにスライドさせることができる。
【００６８】
第２部材４の挿入基体４１ａの露出面４１ｊと他方抜け止め防止突起４１ｂとの間の段差ＧＨ４１ｂは、ダクトレール１００のガイド１０２ｂの厚さＴ１０２より僅かに大きいのが好ましい。
【００６９】
第１部材３の挿入基体３１ａの天井取付壁対向面３１ｆと露出面３１ｊとの間の距離Ｈ３１ａは、ダクトレール１００の天井取付壁１０１ｃの内側面とガイド１０２ａの外側面との間の距離Ｄ１０５より僅かに短いのが好ましい。
【００７０】
第２部材４の挿入基体４１ａの天井取付壁対向面４１ｆと露出面４１ｊとの間の距離Ｈ４１ａは、ダクトレール１００の天井取付壁１０１ｃの内側面とガイド１０２ｂの外側面との間の距離Ｄ１０５より僅かに短いのが好ましい。  
【００７１】
＜ダクトレールへの装着＞
図６（Ａ）は、第１部材３をダクトレール１００に装着する動作を断面図により説明する説明図であり、図６（Ｂ）は、第２部材４をダクトレール１００に装着する動作を断面図により説明する説明図であり、図６（Ｃ）は、第１部材３と第２部材４をダクトレール１００に装着した状態の断面図である。
【００７２】
（１）第１部材３の挿入
露出部３２がダクトレール１００の反対側（床側）となる状態で、天井に設けられたダクトレール１００の開口１０４に向けて挿入部３１を近づけ、中空内部１０５内に挿入部３１を挿入し、挿入基体３１ａの天井取付壁対向面３１ｆを天井取付壁１０１ｃの内側面に向けて押し当てる。  挿入基体３１ａの天井取付壁対向面３１ｆを天井取付壁１０１ｃの内側面に向けて押し当てた状態で一方抜け止め防止突起３１ｂ側（図４（Ａ１）参照）へ幅方向にスライドさせ、挿入基体３１ａの側壁対向面３１ｋがダクトレール１００のガイド１０２ａの先端と当接するまで、側壁対向面３１ｋをダクトレール１００の側壁１０１ａに近づける。このとき、ダクトレール１００の導体ライン１０３に第１部材３の接触端子部３５ｄが板バネ部３５ｃの弾性力によって押し当てられつつ接触し、通電可能な状態となる。
【００７３】
この第１部材３の挿入は、第１部材３のＡＣ／ＤＣコンバート設置部３３にＡＣ／ＤＣコンバート部５が固定された状態で行うことが好ましい。これにより、天井に向かって第１部材３にＡＣ／ＤＣコンバート部５をネジ止め等して固定する労力と時間を削減できる。
【００７４】
（２）第２部材４の挿入
第１部材３とはダクトレール１００の長手方向に離れた位置で、露出部４２がダクトレール１００の反対側（床側）となる状態で、天井に設けられたダクトレール１００の開口１０４に向けて挿入部４１を近づけ、中空内部１０５内に挿入部４１を挿入し、挿入基体４１ａの天井取付壁対向面４１ｆを天井取付壁１０１ｃの内側面に向けて押し当てる。
【００７５】
挿入基体４１ａの天井取付壁対向面４１ｆを天井取付壁１０１ｃの内側面に向けて押し当てた状態で他方抜け止め防止突起４１ｂ側（図４（Ｂ２）参照）へ幅方向にスライドさせ、挿入基体４１ａの側壁対向面４１ｋがダクトレール１００のガイド１０２ｂの先端と当接するまで、側壁対向面４１ｋをダクトレール１００の側壁１０１ｂに近づける。このとき、ダクトレール１００の導体ライン１０３に第２部材４の接触端子部４５ｄが板バネ部４５ｃの弾性力によって押し当てられつつ接触し、通電可能な状態となる。
【００７６】
（３）第１部材３と第２部材４の当接
第１部材３と第２部材４の一方または両方を近付く方へスライドさせ、図２（Ｂ）に示したように、第１部材３の露出部３２と第２部材４の露出部４２が当接する位置、すなわち第１部材３の背面３１ｅと第２部材４の背面４１ｅが長手方向および高さ方向に十分な面で当接する位置までスライドさせる。これにより、両背面３１ｅ，４１ｅが互いにしっかりと当接する当接面が形成される。
【００７７】
なお、この当接面の高さは、ダクトレール１００の天井取付壁１０１ｃの内面からガイド１０２までの高さの７割以上とすることでき、８割以上とすることが好ましく、９割以上とすることがより好ましく、殆ど全てとすることが好適である。
【００７８】
また、この当接面の長さ（ダクトレール１００の長手方向の長さ）は、当接している前記当接面の高さの４分の１以上とすることができ、２分の１以上とすることが好ましく、同じ長さ以上とすることがより好ましく、２倍の長さ以上とすることが好適である。
また、両背面３１ｅ，４１ｅ（当接面）は、ダクトレール１００の長手方向に平行に延びる複数の線条の高さの低い凹凸（横縞模様）が形成されていてもよい。これにより、両背面３１ｅ，４１ｅは、当接した状態で、当接面の長さ方向にはスライド容易であるが、当接面の高さ方向にはスライドしづらくなる。このため、両背面３１ｅ，４１ｅは、吊り下げるダクトレール用電源ユニット１等の自重によって両背面３１ｅ，４１ｅ間の高さ方向に大きな剪断応力が加わっても、高さ方向には滑りにくく互いにしっかりと当接できる。
【００７９】
（４）電気接続
配線コネクタＣｆと配線コネクタＣｍとを連結し、接触子４５の基部４５ａと、ＡＣ／ＤＣコンバート部５のＡＣ入力部ＴＩ１、ＴＩ２の他方が通電するように電気的に接続する。
【００８０】
（５）固定
第１部材３と第２部材４の相対位置が時間経過や振動等によって変化しないように、ネジ止め等の適宜の方法によって第１部材３と第２部材４の相対位置を固定する。
【００８１】
（６）仕上げ
ＡＣ／ＤＣコンバート部５を囲むようにユニットケース２を取り付け、第１部材３、第２部材４、ＡＣ／ＤＣコンバート部５、またはこれらの複数に対してネジ止め、あるいは適宜の引っ掛け金具により引っ掛ける等の方法によりユニットケース２を固定する。このとき、配線コネクタＣｆと配線コネクタＣｍもユニットケース２により被覆し、配線コネクタＣｆと配線コネクタＣｍが見えないようにして美観を良くする。
【００８２】
（７）ＬＥＤサイン等の接続
ダクトレール用電源ユニット１に設けられているＤＣラインＬａ，Ｌｂを、ＬＥＤサイン等の機器の接続端子に接続する。このようにして、ダクトレール用電源ユニット１をＡＣ電力を供給するダクトレール１００に装着でき、ダクトレール用電源ユニット１からＬＥＤサイン等の機器へＤＣ電力を供給することができる。
【００８３】
以上の構成により、ダクトレール１００への取付け取外しに際して、操作レバーの回動操作を用いないダクトレール用電源ユニット１を提供することができる。
【００８４】
ダクトレール用電源ユニット１のプラグ部１０は、ダクトレール１００の幅方向の一方に係合および通電する第１部材３とダクトレール１００の幅方向の他方に係合および通電する第２部材４とで構成されている。このため、プラグ部１０は、第１部材３と第２部材４をダクトレール１００の長手方向の異なる位置で中空内部１０５に挿入部３１，４１をそれぞれ挿入し、一方または両方をスライドして互いに長手方向の同じ位置にて背面３１ｅ，４１ｅを当接させることで、ダクトレール１００への係合と通電を容易に実現できる。
【００８５】
取り付け作業は、第１部材３を開口１０４から挿入し、第２部材４を開口１０４から挿入し、これらをスライドさせて互いに幅方向に位置して当接する位置に配置するだけで、安定して配置できる。その後は、配設の接続とユニットケース２の取り付け程度で済むため、設置作業時に脚立等の上で上方を向きながら腕を上に伸ばして複雑な取り付け作業を行うということを回避でき、簡便かつ楽に装着することができる。
【００８６】
この発明は、上述した実施形態に限らず、様々な実施形態とすることができる。  
例えば、第１部材３は、図３（Ｃ）において、図示上下方向（ダクトレール１００の長手方向）中央よりも上側を図示上下方向へダクトレール１００の長手方向へ長く（例えば本実施例の２倍から５倍程度長く）形成し、第２部材４の長さはそのままとし、第２部材４の図示上下方向中央よりも上側部分と同じ形状で接触子４５を除いた形状の第３部材（図示省略）を用いる構成としてもよい。この場合、第１部材３と第２部材４は、露出部３２，４２が当接する位置で固定され、かつ、第１部材３の図示上端付近に、第３部材を当接させて固定することができる。これにより、第１部材３を長く形成して安定設置させ、かつ、第２部材４と第３部材を長手方向の両端からスライドさせて安定設置することができる。このとき、単に第１部材３と第２部材４を長く形成すると、スライドさせる距離が長く当接面も広くなって途中から摩擦力によってスライド困難になるが、このようなことを防止して簡単に安定してダクトレール１００に取り付けることができる。
【００８７】
また、第２部材４の挿入部４１（図３（Ｂ）参照）は、装着のためにスライド移動させる先頭部分（図３（Ｂ）における右上部分）に、幅方向の肉厚が先細りするように面取り部とテーパー部を設けても良い、面取り部は、背面４１ｅ（図５（Ｃ）参照）に設けるとよく、テーパー部は、側壁対向面４１ｋ（図５（Ｃ）参照）に設けると良い。テーパー部は、面取り部よりも長い距離をかけて先細りする形状とすると良い。このように構成した場合、面取り部により、第１部材３と第２部材４を相対的にスライドさせて重なりはじめのときにひっかかりを防止でき、かつ、そこからさらにスライドさせる際の動きをテーパー部によりスムーズにすることができる。
【００８８】
また、ＡＣ／ＤＣコンバート部５は、天井に吊り下げられたダクトレール１００の上に載置する構成としてもよい。この場合、第１部材３と第２部材４の各接触子３５，４５からそれぞれ通電用の線を伸ばし、ダクトレール１００の開口１０４からダクトレール１００の周囲を通って上方のＡＣ／ＤＣコンバート部５のＡＣ入力部ＴＩ１、ＴＩ２にそれぞれ接続すれば良い。この場合でも、第１部材３と第２部材４がダクトレール１００にしっかり固定され、かつ安定して通電し、ＡＣ電力をＤＣ電力に変換することができる。
【産業上の利用可能性】
【００８９】
本願発明は、ＡＣ電力が流れるダクトレールにＤＣ電力により駆動する機器を電気的に接続しかつ固定する産業に利用することができる。
【符号の説明】
【００９０】
１…ダクトレール用電源ユニット
３…第１部材
４…第２部材
５…ＡＣ／ＤＣコンバート部
３１，４１…挿入部
３１ｂ…一方抜け止め防止突起
３１ｅ，４１ｅ…背面
３１ｋ，４１ｋ…側壁対向面
３５，４５…接触子
４１ｂ…他方抜け止め防止突起
Ｗ３１ａ，Ｗ３１ｂ，Ｗ４１ａ，Ｗ４１ｂ…距離
Ｗ１０４…幅
１００…ダクトレール
１０１ａ，１０１ｂ…側壁
１０２…ガイド
１０３…導体ライン
１０４…開口
【図１】
2019096557.tif 000003
【図２】
2019096557.tif 000004
【図３】
2019096557.tif 000005
【図４】
2019096557.tif 000006
【図５】
2019096557.tif 000007
【図６】
2019096557.tif 000008